(57)【要約】【課題】低酸素状態下においても、被処理ガスに含有する水素の除去をよりスムーズに開始でき、かつ、水素吸蔵合金を利用する場合よりも効率良く水素除去可能な装置を提供する。【解決手段】水素除去装置５０Ａは、被処理ガス１７に含まれる水素を除去する原子炉格納容器の水素除去装置において、被処理ガス１７と内蔵する金属過酸化物モジュール５５とを反応させ、被処理ガス１７に含まれる水素を酸化させて除去する水素除去部５６を具備し、水素除去部５６は、被処理ガス１７を内部に吸気する開口部である吸気部５２と、被処理ガス１７を内部から排気する開口部である排気部５３とを備え、吸気部５２は下部に、排気部５３は上部に設けられる筐体５１の内部であって、吸気部５２よりも上方かつ排気部５３よりも下方に配設される。【選択図】  図１
2014109522.tif 000002
【特許請求の範囲】
【請求項１】
処理するガスを導入して前記ガスに含まれる水素を酸化させて除去する原子炉格納容器の水素除去装置において、
前記ガスを通気させて前記ガスと内蔵する金属酸化物とを反応させ、前記ガスに含まれる水素を酸化させて除去する水素除去部と、
前記水素除去部から排気される前の前記ガスを加熱する加熱手段と、を具備し、
前記水素除去部は、前記ガスを内部に吸気する開口部である吸気部と、前記ガスを内部から排気する開口部である排気部とを備え、前記吸気部は下部に、前記排気部は上部に設けられる筐体の内部であって、前記吸気部よりも上方かつ前記排気部よりも下方に配設されることを特徴とする水素除去装置。
【請求項２】
前記金属酸化物は、通気可能な容器に前記金属過酸化物片を収容して構成される金属酸化物モジュールであることを特徴とする請求項１記載の水素除去装置。
【請求項３】
前記金属酸化物モジュールは、前記容器内に前記金属酸化物片とともに前記酸素と反応して発熱する発熱体が収容されて構成されており、
前記加熱手段は、前記金属酸化物モジュールに空気または酸素を供給する空気供給装置と、前記金属酸化物モジュールに収容される前記発熱体とを備えて構成されることを特徴とする請求項２記載の水素除去装置。
【請求項４】
前記加熱手段は、通電状態と非通電状態とを切り替えることで加熱と加熱停止とを切り替え自在な電気ヒータを備えて構成されることを特徴とする請求項１から３の何れか１項に記載の水素除去装置。
【請求項５】
前記筐体内の前記吸気部と前記排気部との間の空間を区分けする隔壁を設け、前記隔壁間を前記ガスが流動するガス流路とし、前記ガス流路内に前記金属酸化物が配設されて構成されることを特徴とする請求項１から４の何れか１項に記載の水素除去装置。
【請求項６】
前記隔壁は、上下に間隔を隔てて水平に配設される仕切板であり、
この仕切板は、一端が前記筐体の互いに向き合う側壁に互い違いに固定されるとともに、他端が前記側壁との間に隙間を開けた状態で配設されることを特徴とする請求項５記載の水素除去装置。
【請求項７】
前記隔壁は、中心軸を同一とした直径の異なる複数の上下が開放した円筒状に配設されることを特徴とする請求項５記載の水素除去装置。
【請求項８】
前記隔壁は、前記円筒状に配設された円筒状隔壁の上面を円板で塞ぐとともに、下面を中心部が開口した円環板で塞いで構成され、前記円筒状隔壁を多孔状または網目状に形成されることを特徴とする請求項７記載の水素除去装置。
【請求項９】
前記隔壁は、金属酸化物モジュールの無孔面であることを特徴とする請求項５記載の水素除去装置。
【請求項１０】
前記筐体の外表面に前記外表面の一部を覆うように外筒をさらに設置し、前記筐体と前記外筒との間を通風可能に構成したことを特徴とする請求項１から９の何れか１項に記載の水素除去装置。
【請求項１１】
前記ガスを前記吸気部に導く入口配管の熱と前記排気部から排気される前記ガスが通気する出口配管の熱とを熱交換する熱交換器をさらに具備することを特徴とする請求項１から１０の何れか１項に記載の水素除去装置。
【発明の詳細な説明】
【技術分野】
【０００１】
本発明の実施形態は、ガスから当該ガス中に含まれる水素を除去する水素除去装置に関する。
【背景技術】
【０００２】
一般に、沸騰水型原子力発電所における沸騰水型原子炉の原子炉格納容器には、原子炉事故に備えて水素等の可燃性ガスの濃度上昇を抑制する可燃性ガス濃度制御装置が設置されている。沸騰水型原子炉の原子炉格納容器に設置される従来の可燃性ガス濃度制御装置について、図７を参照して説明する。
【０００３】
図７は、沸騰水型原子炉における原子炉格納容器１および沸騰水型原子炉に適用される従来の可燃性ガス濃度制御装置１０の構成を示す断面図である。
【０００４】
図７に示されるように、原子炉格納容器１は、原子炉の炉心２を内蔵する原子炉圧力容器３を格納する。原子炉格納容器１は、原子炉圧力容器３を包囲する上部ドライウェル５、下部ドライウェル６およびウェットウェル７によって構成される。ウェットウェル７は、上部ドライウェル５とベント管８を介して接続されており、貯蔵水を保有するサプレッションプール９が形成される。また、原子炉圧力容器３の外側面は、生体遮蔽壁４によって包囲される。
【０００５】
万一、原子炉圧力容器３に接続される主蒸気管１１等の原子炉一次冷却系配管が破断した場合、原子炉格納容器内の上部ドライウェル５に高温・高圧の原子炉一次冷却材が放出され、上部ドライウェル５の圧力および温度が急激に上昇する。
【０００６】
上部ドライウェル５に放出された高温・高圧の冷却材は、上部ドライウェル５内の気体と混合して、ベント管８を経由してサプレッションプール９内の貯蔵水の中に放出されて冷却される。このようにして、原子炉圧力容器３から放出された熱エネルギーの多くは、このサプレッションプール９内の貯蔵水中において冷却され吸収される。
【０００７】
なお、原子炉圧力容器３の内部は、図示されない非常用炉心冷却系によってサプレッションプール９内の貯蔵水が注入されて炉心２が冷却される。炉心２に注入された冷却水は、長期的には炉心２から崩壊熱を吸収し、破断した配管の破断口から上部ドライウェル５へ流出される。
【０００８】
上述したように、万一、原子炉一次冷却系配管が破断した場合には、上部ドライウェル５の内部における圧力と温度が、常にウェットウェル７よりも高い状態となり、ベント管８を経由してウェットウェル７内に水蒸気とガスが移動する。このとき、炉心２から放出され上部ドライウェル５の空間に存在していた核分裂生成物は、ベント管８を経由してサプレッションプール９内で捕捉される。
【０００９】
原子炉一次冷却系配管が破断しない場合であっても、電源喪失等によって原子炉の冷却機能が喪失すると、原子炉圧力容器３の圧力が上昇し、主蒸気管１１に設けられた安全弁１２が作動して、原子炉圧力容器３内の水蒸気および核分裂生成物をサプレッションプール９内の貯蔵水中に放出する。ウェットウェル７の圧力がドライウェル５，６の圧力よりも高くなった場合には、真空破壊弁１３が作動してウェットウェル内ガスがドライウェルに流入する。
【００１０】
このように長期的事象下では、軽水炉型原子力発電所の原子炉内では冷却材である水は放射線分解され、水素ガスと酸素ガスが発生する。さらに、炉心２の内部の燃料被覆管の温度が上昇する場合には、燃料被覆管材料のジルコニウムと水蒸気との間で反応（以下、「Ｍｅｔａｌ−Ｗａｔｅｒ反応」と称する。）が起こり、短時間で水素ガスが発生する。
【００１１】
このようにして発生する水素ガスは、発生後、破断した配管の破断口等から冷却材と共に原子炉格納容器１の内部に放出され、原子炉格納容器１の内部において水素ガスの濃度は次第に上昇する。また、水素ガスは非凝縮性であることから、原子炉格納容器１の内部圧力も上昇する。
【００１２】
水素ガスが発生する状態に対して何等有効な対策を行うことができずに、水素ガス濃度が４ｖｏｌ％かつ酸素濃度が５ｖｏｌ％以上に上昇、すなわち、可燃性ガス濃度が可燃限界を超えた場合には、気体は可燃状態となる。さらに、水素ガス濃度が上昇すると過剰な反応が発生する可能性が生じる。
【００１３】
上述した水素ガス濃度が上昇する事態への有効な対策として、従来の沸騰水型原子力発電設備の場合においては、圧力抑制式の原子炉格納容器１の内部を窒素ガスで置換して酸素濃度を低く維持する対策がとられている。上述のＭｅｔａｌ−Ｗａｔｅｒ反応によって短時間で大量に発生する水素ガスに対しても、原子炉格納容器１の内部が可燃性雰囲気となることを厳しく防止して固有の安全性を達成している。
【００１４】
また、水素ガスを除去するため、原子炉格納容器１の外部には、可燃性ガス濃度制御装置１０が設けられる。可燃性ガス濃度制御装置１０は、再結合器１４およびブロア１５を備え、原子炉格納容器１内の雰囲気を原子炉格納容器１の外部に吸引し、昇温させて雰囲気中の水素ガスと酸素ガスを再結合させて水に戻し、残りの気体を冷却してから原子炉格納容器１の内部へ戻すことによって、可燃性ガス濃度の上昇を抑制している。
【００１５】
一方、上述の可燃性ガス濃度制御装置１０とは異なり外部電源、駆動部を必要とせず、静的に可燃性ガス濃度を制御する方法としては、水素の酸化触媒を用いて再結合反応を促進させる触媒式再結合装置を原子炉格納容器１の内部に複数配置する方法や活性金属を用いて水素を除去する際に反応を促進するために装置そのものを加熱する方法等が提案されている。
【００１６】
このような可燃性ガスである水素を除去する技術は、例えば、特開２００５−３３７１号公報（特許文献１）に記載されている。
【先行技術文献】
【特許文献】
【００１７】
【特許文献１】特開２００５−３３７１号公報
【発明の概要】
【発明が解決しようとする課題】
【００１８】
沸騰水型原子炉において、運転中の原子炉格納容器内の雰囲気は窒素ガスで置換されているために、Ｍｅｔａｌ−Ｗａｔｅｒ反応で発生する水素と結合可能な酸素は原子炉格納容器１の内部では僅かしか存在していない。Ｍｅｔａｌ−Ｗａｔｅｒ反応によって大量の水素が発生する事象下において、上述の水素と酸素の再結合による従来の水素処理方法では、水素と結合可能な酸素が僅かしか存在していない低酸素状態で水素の除去を行うことは困難である。
【００１９】
原子炉格納容器内の雰囲気から水素を除去できない場合、原子炉格納容器内の圧力を低減することができない。現行の沸騰水型原子炉のシステムでは、事故発生により原子炉格納容器内で大量の水素が発生して原子炉格納容器内の圧力が上昇した際には、原子炉格納容器内の雰囲気を外部（大気中）に放出して原子炉格納容器内の圧力を低減して、事故を収束することが計画されているものの、同時に放射性廃棄物を外部（大気中）に放出してしまい得る。
【００２０】
そこで、酸素濃度が低く再結合を行うのが難しい低酸素状態下においても、水素除去処理される水素を含有するガス（以下、「被処理ガス」と称する。）から水素を除去する方法として、水素吸蔵合金を利用する技術が提案されている。
【００２１】
しかしながら、水素吸蔵合金が吸蔵する水素の重量は、例えば、Ｔｉ−Ｆｅの場合、合金重量の約１．８％と低く、吸蔵量は高々その合金重量の数％程度にすぎない。そのため、水素吸蔵合金を利用する水素除去技術を用いて、原子炉の過酷事故発生時のような大量に水素が発生する事態に対処するためには、膨大な量の水素吸蔵合金が必要となり、現実的には適用が困難という点で課題がある。
【００２２】
また、被処理ガスから水素を除去する別な方法として、特許文献１に記載されるように、水素／酸素反応を促進する触媒を下段に、水素／窒素反応を促進する触媒を上段に設置して、水素を除去する方法もある。
【００２３】
しかしながら、原子炉の過酷事故発生から数時間では、原子炉格納容器内は酸素が少ないため、触媒を処理材とする水素除去技術は必ずしも十分な効果を発揮し得ない点で課題がある。
【００２４】
本発明の実施形態は上記事情を考慮してなされたもので、酸素濃度が低く再結合を行うのが難しい低酸素状態下においても、被処理ガスに含有する水素の除去をよりスムーズに開始でき、かつ、水素吸蔵合金を利用する場合よりも効率良く水素除去可能な水素除去装置を提供することを目的とする。
【課題を解決するための手段】
【００２５】
本発明の実施形態に係る水素除去装置は、処理するガスを導入して前記ガスに含まれる水素を酸化させて除去する原子炉格納容器の水素除去装置において、前記ガスと内蔵する金属過酸化物とを反応させ、前記ガスに含まれる水素を酸化させて除去する水素除去部を具備し、前記水素除去部は、前記ガスを内部に吸気する開口部である吸気部と、前記ガスを内部から排気する開口部である排気部とを備え、前記吸気部は下部に、前記排気部は上部に設けられる筐体の内部であって、前記吸気部よりも上方かつ前記排気部よりも下方に配設されることを特徴とする。
【発明の効果】
【００２６】
本発明の実施形態によれば、酸素濃度が低く再結合を行うのが難しい低酸素状態下においても、被処理ガスに含有する水素の除去をよりスムーズに開始でき、かつ、効率良く水素除去を行うことができる。
【図面の簡単な説明】
【００２７】
【図１】本発明の第１の実施形態に係る水素除去装置の構成を示す縦断面図。
【図２】本発明の実施形態に係る水素除去装置に適用される金属過酸化物モジュール５５Ａ〜５５Ｅの構成を示す概略図であり、（Ａ）乃至（Ｅ）は、それぞれ、金属過酸化物モジュール５５Ａ，５５Ｂ，５５Ｃ，５５Ｄ，５５Ｅの構成を示す概略図。
【図３】本発明の実施形態に係る水素除去装置に適用される金属過酸化物モジュール５５Ｆ〜５５Ｉの構成を示す概略図であり、（Ａ）乃至（Ｄ）は、それぞれ、金属過酸化物モジュール５５Ｆ，５５Ｇ，５５Ｈ，５５Ｉの構成を示す概略図。
【図４】本発明の第２の実施形態に係る水素除去装置の一例である水素除去装置５０Ｂの構成を示す断面図であり、（Ａ）は装置全体の縦断面図、（Ｂ）は（Ａ）に示されるＩＶ（Ｂ）−ＩＶ（Ｂ）断面図（横断面図）。
【図５】本発明の第２の実施形態に係る水素除去装置の一例である水素除去装置５０Ｃの構成を示す断面図であり、（Ａ）は装置全体の縦断面図、（Ｂ）は（Ａ）に示されるＶ（Ｂ）−Ｖ（Ｂ）断面図（横断面図）。
【図６】本発明の第３の実施形態に係る水素除去装置の構成を示す断面図。
【図７】沸騰水型原子炉における原子炉格納容器および沸騰水型原子炉に適用される従来の可燃性ガス濃度制御装置の構成を示す断面図。
【発明を実施するための形態】
【００２８】
本発明の実施形態に係る水素除去装置について、図面を参照して説明する。なお、以下の説明においては、上、下、左、右等の方向を示す言葉は、図示した状態または通常の使用状態を基準とする。
【００２９】
本発明の実施形態に係る水素除去装置では、水素を除去する技術として、過酸化物イオン（Ｏ２２−）と金属とで構成される金属過酸化物と被処理ガスに含有する水素との間で酸化反応を生じさせることによって水素を消費（除去）する技術を採用する。金属過酸化物を用いて、被処理ガスに含有する水素を除去する技術は、金属過酸化物自体に含まれる酸素を利用するため、外部の酸素を必要とすることなく被処理ガスから水素を除去することができるという利点がある。
【００３０】
また、金属過酸化物と水素との反応速度、すなわち、金属過酸化物から分離する酸素と水素とが再結合する再結合反応の速度は、温度が上昇するにつれて２次関数的に上昇することが知られている。
【００３１】
従って、除去処理が必要な水素が大量の場合、常温付近では水素を処理するには十分な反応速度が得られないことがあるとしても、処理する気体を加熱して温度を上げることで処理に十分な反応速度を得ることができる。その一方で、反応が過剰に進行することによる構造物破損を防止するため、反応速度を下げるべく処理する気体を冷却することも必要となる。
【００３２】
上述した事情を考慮して、本発明の実施形態に係る水素除去装置では、被処理ガスの温度を制御することで、大量の水素ガスを安全に処理することを可能としている。
【００３３】
続いて、本発明の各実施形態に係る水素除去装置について説明する。なお、以下の説明では、本発明の各実施形態に係る水素除去装置を、原子炉格納容器１（図７）の内部に設置し、原子炉格納容器１の雰囲気から水素を除去する際に適用する例を説明する。
【００３４】
[第１の実施形態]
図１は本発明の第１の実施形態に係る水素除去装置の一例である水素除去装置５０Ａの構成を示す縦断面図、図２および図３は本発明の実施形態に係る水素除去装置に適用される金属過酸化物モジュール５５の実施例である金属過酸化物モジュール５５Ａ〜５５Ｅの構成を示す概略図である。
【００３５】
水素除去装置５０Ａは、水素を消費することで除去する金属過酸化物モジュール５５を内部に配設した筐体５１に、水素除去処理される水素を含有するガス（以下、「被処理ガス」と称する。）１７を筐体５１の内部に導入する開口部である吸気部５２と、水素除去装置５０Ａ内で水素除去処理後の雰囲気（以下、「処理済ガス」と称する。）１８を筐体５１の外部へ排気する開口部である排気部５３と、を設けて構成される。
【００３６】
水素除去装置５０Ａにおいて、吸気部５２は、例えば、筐体５１の下部に、排気部５３は、筐体５１の上部に設けられる。
【００３７】
水素除去装置５０Ａを原子炉格納容器（図示せず）内の雰囲気から水素を除去する処理に適用する場合、被処理ガス１７である原子炉格納容器内の雰囲気は、吸気部５２から筐体５１の内部に導入され、筐体５１の内部で被処理ガス１７から水素が除去されて処理済ガス１８となって、排気部５３から筐体５１の外部へ排気され、原子炉格納容器に戻される。
【００３８】
水素除去装置５０Ａの筐体５１内の空間には、上下方向に間隔を隔てて、水平方向に仕切板５４が設置される。水平方向に延在する仕切板５４は、一端が筐体５１の側壁に固定され、他端が開放されている。また、仕切板５４が筐体５１の側壁に固定される端部（または開放される端部）は、上または下から順に見た場合、左右交互に入れ替えて配置される。
【００３９】
例えば、図１に示される筐体５１内の空間に配設される４枚の仕切板５４では、筐体５１の側壁に固定される一端は、上から数えて第１枚目および第３枚目の仕切板５４では右側（右端）であり、上から数えて第２枚目および第４枚目の仕切板５４では左側（左端）である。
【００４０】
仕切板５４の固定側または開放側を左右交互に入れ替えて配置することで、筐体５１内の吸気部５２と排気部５３との間に、仕切板５４によって左右に蛇行する空間を形成する。すなわち、筐体５１の内部には、吸気部５２から左右に蛇行しながら上方へ向かう一の仕切板５４と他の仕切板５４との間の空間を経由して最終的に排気部５３までを接続する流路が形成される。流路を蛇行させているのは流路長をかせいで効率良く水素を除去（消費）させるためである。
【００４１】
また、水素除去装置５０Ａでは、一の仕切板５４と他の仕切板５４との間に金属過酸化物モジュール５５を配設することで、水素を除去する水素除去部５６を形成する。金属過酸化物モジュール５５は、金属過酸化物を通気可能な容器に充填した構造体である。
【００４２】
さらに、水素除去装置５０Ａでは、例えば、筐体５１の底面および側面と仕切板５４とで形成される最下段の流路等の水素除去部５６のガス流入口近傍に、水素除去部５６のガス流入口近傍に配設される金属過酸化物モジュール５５に空気または酸素（以下、「空気等」と称する。）の酸素を含むガスを供給（噴射）する空気供給装置５７が設置される。なお、符号５７ａは空気供給装置５７のノズル（噴射口）である。
【００４３】
さらにまた、筐体５１の外表面には、筐体５１の外表面の一部を覆うように外筒５８が設置され、外壁流路５９が形成されている。
【００４４】
また、筐体５１の底部には、水等のドレンを筐体５１の外部へ排出するドレン配管６１が設置される。
【００４５】
続いて、金属過酸化物モジュール５５（５５Ａ〜５５Ｉ）の構成について説明する。
【００４６】
金属過酸化物モジュール５５は、例えば、図２，３に示されるように、表面の一部にガスが流動可能な孔または網目が設けられ、内部が中空に形成される中空容器６３，６６に金属過酸化物片６４を充填し構成され、水素を除去する水素除去部５６の部品となる。
【００４７】
ここで、符号６３ａ，６６ａは多孔状または網目状に金属過酸化物片６４が流出しない程度の大きさで面を貫通する隙間が設けられた多孔面であり、６３ｂ，６６ｂは面を貫通する隙間が設けられていない通常の面（以下、「無孔面」と称する。）である。
【００４８】
金属過酸化物モジュール５５は、水素除去部５６を構築する容易性から、例えば、金属過酸化物モジュール５５Ａ〜５５Ｉ（図２，３）のように、四角柱（直方体）等の多角柱、円柱、若しくは円環柱、またはこれらの一部分（例えば、半円柱等）の形状をもつ立体として構成される。
【００４９】
例えば、図２（Ａ）に示されるように、全面が通気可能な多孔面６３ａで構成される直方体状の金属過酸化物モジュール５５Ａや、図３（Ａ）に示されるように、全面が通気可能な多孔面６３ａで構成される円柱状の金属過酸化物モジュール５５Ｆを構成することができる。
【００５０】
また、図２（図２（Ａ）〜図２（Ｅ））に示されるように、組み立てを想定して、通気可能な面が異なる金属過酸化物モジュール５５Ｂ〜５５Ｄを構成することもできる。
【００５１】
例えば、対向する２面が多孔面６３ａで構成される金属過酸化物モジュール５５Ｂ、対向する２面が通気不可能な無孔面６３ｂで構成される金属過酸化物モジュール５５Ｃ、および隣接する２面とこの２面のそれぞれに隣接する１面（図２（Ｄ）では正面、底面、および右側面の３面）が無孔面６３ｂで構成される金属過酸化物モジュール５５Ｄを構成する。
【００５２】
このような金属過酸化物モジュール５５Ａ〜５５Ｄを用いれば、単に複数並べて配置するだけで、内部に通風可能な流路をもつ水素除去部５６を構築することができる。
【００５３】
一方、空気供給装置５７等の装置を水素除去部５６の内部に設置する場合等を想定して、金属過酸化物モジュール５５Ａ〜５５Ｄの対向する２面の略中央を円柱状に貫通する中空部６５が設けられた金属過酸化物モジュール５５Ｅや、金属過酸化物モジュール５５Ｆの対向する２面の略中央を円柱状に貫通する中空部６５が設けられた円環柱状の金属過酸化物モジュール５５Ｇを構成することもできる。
【００５４】
また、円柱状の金属過酸化物モジュール５５Ｆや円環柱状の金属過酸化物モジュール５５Ｇを適当な大きさに分割した、半円柱状の金属過酸化物モジュール５５Ｈや部分円環の柱状体である金属過酸化物モジュール５５Ｉを構成することもできる。
【００５５】
さらに、中空容器６３，６６内には、金属過酸化物片６４とともに酸素と化合して発熱する鉄や白金等の発熱体を少量混在させておくこともできる。このように、金属過酸化物片６４とともに発熱体を混在させておけば、通気するガス中に含まれる空気等と反応して通気するガスを加熱することができる。なお、以下の説明は、金属過酸化物モジュール５５の内部に発熱体が混在している場合の例である。
【００５６】
このように構成される金属過酸化物モジュール５５を用いて水素を除去する水素除去装置５０Ａでは、まず、被処理ガス１７が吸気部５２から水素除去装置５０Ａ内に導入される。吸気部５２から水素除去装置５０Ａ内部に導入される被処理ガス１７は、筐体５１の下方から金属過酸化物モジュール５５が配設された水素除去部５６に導かれる。
【００５７】
一方、水素除去部５６のガス流入口近傍では、空気供給装置５７のノズル５７ａから金属過酸化物モジュール５５に空気等が噴射される。金属過酸化物モジュール５５には空気等と反応して発熱する発熱体が混在しており、この発熱体がノズル５７ａから噴射される空気等と反応して水素除去部５６に流入する被処理ガス１７を加熱する。
【００５８】
水素除去部５６に導かれた被処理ガス１７は、仕切板５４によって仕切られた空間に配設される金属過酸化物モジュール５５、すなわち、仕切板５４と仕切板５４との間を左右に蛇行しながら流動していく。金属過酸化物モジュール５５では、被処理ガス１７に含まれる水素が酸素と再結合反応して水素が消費されて除去される。なお、再結合反応は発熱反応なので、被処理ガス１７は進行していく過程で温度が上昇し、反応速度を加速させることができる。
【００５９】
左右に蛇行しながら金属過酸化物モジュール５５を順次通気し、水素が除去されて水素除去部５６を抜けた処理済ガス１８は、さらに、筐体５１の上部に設けられる排気部５３から筐体５１の外部へ排気される。
【００６０】
次に、本発明の第１の実施形態に係る水素除去装置を用いて行う水素除去方法（以下、「第１の水素除去方法」と称する。）について説明する。
【００６１】
第１の水素除去方法は、例えば、水素除去装置５０Ａを用いて行われる。第１の水素除去方法では、被処理ガス１７を水素除去装置５０Ａ内の金属過酸化物モジュール５５を備える水素除去部５６に導き、水素除去部５６で水素を除去（消費）する水素除去ステップを具備する。
【００６２】
水素除去装置５０Ａを用いて、原子炉格納容器１の内部の雰囲気から水素を除去する第１の水素除去方法では、なんらかの原因により、燃料被覆管の温度が上昇し、水蒸気と燃料被覆管材料であるジルコニウムとの間で反応（Ｍｅｔａｌ−Ｗａｔｅｒ反応）が生じて水素が発生し、大量の蒸気とともに原子炉圧力容器から漏洩する。発生した多量の蒸気と水素が原子炉圧力容器内から原子炉格納容器に漏れ出た場合、原子炉格納容器内の雰囲気が被処理ガス１７として吸気部５２から水素除去装置５０Ａ内に導入される。
【００６３】
Ｍｅｔａｌ−Ｗａｔｅｒ反応が始まり、原子炉格納容器に多量の蒸気と水素とが漏れ出た直後のタイミング、すなわち、原子炉格納容器内の雰囲気が水素除去装置５０Ａに流入を開始するタイミングでは、原子炉格納容器は常温であることから被処理ガス１７も常温である。
【００６４】
一方、金属過酸化物と水素とを反応させて水素を消費するには、少なくとも被処理ガス１７の温度を１５０℃以上とすることが好ましい。そのため、水素除去装置５０Ａでは、金属過酸化物モジュール５５に空気等が噴射することで、金属過酸化物モジュール５５に含まれる発熱体を空気等と反応させて水素除去部５６に流入する被処理ガス１７を加熱する。
【００６５】
さらに、最初の金属過酸化物モジュール５５で水素と再結合反応が生じると、再結合反応による発熱で被処理ガス１７は加熱され、温度が上昇するので、反応速度が上昇し、水素除去処理がスムーズに開始される。
【００６６】
その後、被処理ガス１７は、仕切板５４で仕切られた空間に金属過酸化物モジュール５５が複数配設された水素除去部５６を左右に蛇行しながら進行していく間に被処理ガス１７に含まれる水素は消費されて水蒸気になる。こうして水素除去部５６で被処理ガス１７に含まれる水素が消費された処理済ガス１８は、上昇して筐体５１の上方に設けられた排気部５３から水素除去装置５０Ａ（筐体５１）の外部へ流出し、原子炉格納容器内に戻される。
【００６７】
なお、水素除去処理時は、金属過酸化物モジュール５５で行われる反応によって処理済ガス１８は高温となるが、外気が外壁流路５９を自然に通風することによって、筐体５１の表面が空冷され、過度な温度上昇を抑制することができる。
【００６８】
水素除去装置５０Ａおよび水素除去装置５０Ａを用いた水素除去処理方法によれば、金属過酸化物を用いるため、外部の酸素を必要とすることなく被処理ガス１７から水素を除去することができる。すなわち、酸素濃度が低く再結合反応が生じにくい低酸素状態下においても、被処理ガス１７に含有する水素の除去をよりスムーズに開始できる。
【００６９】
また、水素除去装置５０Ａおよび水素除去装置５０Ａを用いた水素除去処理方法によれば、被処理ガス１７が常温程度で装置内に吸気される場合にも、流動する過程で被処理ガス１７が加熱されるので反応速度を増加させることができる。
【００７０】
さらに、水素除去装置５０Ａおよび水素除去装置５０Ａを用いた水素除去処理方法によれば、外気が外壁流路５９を自然に通風することによって、筐体５１の表面が空冷され、過度な温度上昇を抑えることができる。
【００７１】
さらにまた、水素除去装置５０Ａおよび水素除去装置５０Ａを用いた水素除去処理方法によれば、再結合反応により水素を消費して水素を除去するので、吸蔵量が高々その合金重量の数％程度にすぎない水素吸蔵合金を利用する場合よりも効率良く水素を除去することができる。
【００７２】
なお、上述した水素除去装置５０Ａでは、被処理ガス１７の加熱手段として、空気等と反応して発熱する発熱体を使用しているが、例えば、ニクロム線等の金属線を備え、オン（通電状態）とオフ（非通電状態）とを切り替えることで加熱と加熱停止とを切り替え自在なヒータ等の上記発熱体以外の加熱手段をさらに備えていても良い。前記ヒータは、空気供給装置５７や、例えば水素除去部５６への流入口近傍等の筐体５１内に設置し、水素除去部５６に流入する被処理ガス１７を加熱するようにしても良い。
【００７３】
また、前記ヒータを被処理ガス１７の加熱手段として適用する一方、発熱体を使用しない構成としても良い。前記ヒータを筐体５１内に設置する場合、空気供給装置５７を省略することもできる。さらに、前記ヒータは、単なるニクロム線等の金属線でも良い。
【００７４】
さらにまた、上述した水素除去装置５０Ａでは、仕切板５４を用いて被処理ガス１７が流動する流路を確保しているが、必ずしも仕切板５４を用いる必要はない。金属過酸化物モジュール５５を上手く配列することによって、金属過酸化物モジュール５５の無孔面６３ｂ，６６ｂが仕切板５４に役割を果たし、仕切板５４を用いることなく、金属過酸化物モジュール５５内に被処理ガス１７が通気する流路を形成することができるためである。
【００７５】
[第２の実施形態]
図４は本発明の第２の実施形態に係る水素除去装置の一例である水素除去装置５０Ｂの構成を示す断面図であり、図４（Ａ）は水素除去装置５０Ｂ全体の縦断面図、図４（Ｂ）は図４（Ａ）に示されるＩＶ（Ｂ）−ＩＶ（Ｂ）断面図（横断面図）である。
【００７６】
また、図５は発明の第２の実施形態に係る水素除去装置の一例である水素除去装置５０Ｃの構成を示す断面図であり、図５（Ａ）は水素除去装置５０Ｂ全体の縦断面図、図５（Ｂ）は図５（Ａ）に示されるＶ（Ｂ）−Ｖ（Ｂ）断面図（横断面図）である。
【００７７】
水素除去装置５０Ｂおよび水素除去装置５０Ｃは、水素除去装置５０Ａに対して、水素除去部５６の形状、すなわち、被処理ガス１７が流動する流路構成の点で相違するが、その他の点では実質的に相違しない。そこで、本実施形態の説明では、上記相違点を中心に説明し、水素除去装置５０Ａと同一の構成要素には同一の符号を付して、説明を省略する。
【００７８】
水素除去装置５０Ｂは、例えば、吸気部５２よりも上方に筐体５１の内面と接し、配設される金属過酸化物モジュール５５を下面から支持するとともに、通気可能な複数個の貫通孔が設けられた多孔支持板６８が設置される。
【００７９】
水素除去装置５０Ｂでは、多孔支持板６８の上面に、金属過酸化物モジュール５５と垂直方向に流路を仕切る仕切板５４とを配設して、垂直方向の流路を複数有する円筒状の水素除去部５６を形成する。
【００８０】
このように構成される水素除去装置５０Ｂでは、まず、被処理ガス１７が吸気部５２から水素除去装置５０Ｂ内に導入される。吸気部５２から水素除去装置５０Ｂ内部に導入される被処理ガス１７は、筐体５１の下方から多孔支持板６８を通過して金属過酸化物モジュール５５が配設された水素除去部５６に導かれる。
【００８１】
一方、水素除去部５６に形成される垂直方向の流路の入口近傍には、空気供給装置５７のヘッダ５７ｂに設けられた各ノズル５７ａが配置されており、金属過酸化物モジュール５５に空気等が噴射される。
【００８２】
水素除去部５６に導かれた被処理ガス１７は、仕切板５４によって垂直方向に仕切られた流路に配設される金属過酸化物モジュール５５を下から上昇していき、その過程で金属過酸化物モジュール５５では、被処理ガス１７に含まれる水素が酸素と再結合反応して水素が消費されて除去される。水素除去装置５０Ｂでは、水素除去部５６に形成される被処理ガス１７の流路が曲りのない構造となっているので、圧力損失が低く抑えられる。
【００８３】
金属過酸化物モジュール５５を順次通気し、水素が除去されて水素除去部５６を抜けた処理済ガス１８は、さらに、筐体５１の上部に設けられる排気部５３から筐体５１の外部へ排気される。
【００８４】
一方、水素除去装置５０Ｃは、例えば、吸気部５２よりも上方に筐体５１の内面と接し、配設される金属過酸化物モジュール５５を下面から支持するとともに、筐体５１の中央付近において通気可能に面を貫通する円環状の円環状支持板６９が設置される。
【００８５】
水素除去装置５０Ｃでは、円環状支持板６９の上面に、金属過酸化物モジュール５５と垂直方向に流路を仕切る仕切板５４とを配設する。また、仕切板５４は、最上段の金属過酸化物モジュール５５の上面にも配置される。
【００８６】
仕切板５４は、水素除去部５６の周方向に対して流路を複数に区分けするとともに、金属過酸化物モジュール５５の最上段まで上昇した被処理ガス１７をそのまま上昇させずに外周側へ流動させて最外周の金属過酸化物モジュール５５の側面から排気するように被処理ガス１７を導く。
【００８７】
このように構成される水素除去装置５０Ｃでは、まず、被処理ガス１７が吸気部５２から水素除去装置５０Ｃ内に導入される。吸気部５２から水素除去装置５０Ｃ内部に導入される被処理ガス１７は、筐体５１の下方から円環状支持板６９の略中央に設けられる貫通孔を通過して金属過酸化物モジュール５５が配設された水素除去部５６に導かれる。
【００８８】
一方、水素除去部５６に形成される流路の入口近傍には、空気供給装置５７のノズル５７ａが配置されており、金属過酸化物モジュール５５に空気等が噴射される。水素除去装置５０Ｃでは、水素除去部５６への流入口が１箇所となるので、ノズル５７ａの数を少なくすることができるとともに、より効率的に被処理ガス１７を加熱することができる。
【００８９】
水素除去部５６に導かれた被処理ガス１７は、金属過酸化物モジュール５５を下から上昇しつつ、周方向中央から外周側へ流動する。金属過酸化物モジュール５５では、被処理ガス１７に含まれる水素が酸素と再結合反応して水素が消費されて除去される。
【００９０】
金属過酸化物モジュール５５を順次通気し、水素が除去されて水素除去部５６を抜けた処理済ガス１８は、さらに、筐体５１の上部に設けられる排気部５３から筐体５１の外部へ排気される。
【００９１】
なお、本発明の第２の実施形態に係る水素除去装置を用いて行う水素除去方法は、水素除去装置５０Ｂ，５０Ｃを用いて、第１の水素除去方法と実質的に同様に行われるため、第１の水素除去方法の説明をもって、説明を省略する。
【００９２】
このように、水素除去装置５０Ｂ，５０Ｃおよび水素除去装置５０Ｂ，５０Ｃを用いた水素除去処理方法によれば、水素除去装置５０Ａおよび水素除去装置５０Ａを用いた水素除去処理方法と同様の効果を得ることができる。
【００９３】
また、水素除去装置５０Ｂおよび水素除去装置５０Ｂを用いた水素除去処理方法によれば、水素除去装置５０Ｂの水素除去部５６に形成される被処理ガス１７の流路が曲りのない構造となっているので、圧力損失を低く抑えることができ、ガスの流動をよりスムーズにすることができる。
【００９４】
さらに、水素除去装置５０Ｃおよび水素除去装置５０Ｃを用いた水素除去処理方法によれば、水素除去部５６への流入口が１箇所となるので、ノズル５７ａの数を少なくすることができるとともに、より効率的に被処理ガス１７を加熱することができる。
【００９５】
[第３の実施形態]
図６は本発明の第３の実施形態に係る水素除去装置の一例である水素除去装置５０Ｄの構成を示す概略図である。
【００９６】
水素除去装置５０Ｄは、例えば、水素除去装置５０Ａに対して、被処理ガス１７を吸気部５２から筐体５１の内部に導く入口配管７１と処理済ガス１８を排気部５３から筐体５１の外部へ排気して原子炉格納容器内に戻す出口配管７２との間で熱交換する熱交換器７３をさらに具備する点で相違するが、その他の点では実質的に相違しない。そこで、本実施形態の説明では、上記相違点を中心に説明し、水素除去装置５０Ａと同一の構成要素には同一の符号を付して、説明を省略する。
【００９７】
水素除去装置５０Ｄは、金属過酸化物モジュール５５を内部に配設した筐体５１に、被処理ガス１７を筐体５１内に導入する吸気部５２と、処理済ガス１８を筐体５１外へ排気する排気部５３とを設けるとともに、被処理ガス１７を吸気部５２から筐体５１の内部に導く入口配管７１と処理済ガス１８を排気部５３から筐体５１の外部へ排気して原子炉格納容器内に戻す出口配管７２との間で熱交換する熱交換器７３を具備して構成される。
【００９８】
熱交換器７３は、出口配管７２を流動する処理済ガス１８から熱を奪って処理済ガス１８を冷却するとともに、入口配管７１を流動する被処理ガス１７に熱を与えて被処理ガス１７を加熱する。
【００９９】
このように構成される水素除去装置５０Ｄでは、まず、被処理ガス１７が吸気部５２から水素除去装置５０Ｄ内に導入される前に、熱交換器７３が出口配管７２を流動する処理済ガス１８から熱を奪って処理済ガス１８を冷却するとともに、入口配管７１を流動する被処理ガス１７に熱を与えて被処理ガス１７を加熱する。
【０１００】
加熱された被処理ガス１７は、吸気部５２から水素除去装置５０Ｄの内部に導入され、筐体５１の下方から金属過酸化物モジュール５５が配設された水素除去部５６に導かれる。水素除去部５６では、金属過酸化物モジュール５５によって、被処理ガス１７に含まれる水素との再結合反応が生じて水素が消費されて除去される。水素除去部５６を抜けた処理済ガス１８は、さらに、筐体５１の上部に設けられる排気部５３から筐体５１の外部へ排気される。
【０１０１】
なお、上述した水素除去装置５０Ｄは、水素除去装置５０Ａに熱交換器７３を追設した構成であるが、水素除去装置５０Ｄは、水素除去装置５０Ｂ，５０Ｃに熱交換器７３を追設した構成でも良い。
【０１０２】
次に、本発明の第３の実施形態に係る水素除去装置を用いて行う水素除去方法（以下、「第３の水素除去方法」と称する。）について説明する。
【０１０３】
第３の水素除去方法は、例えば、水素除去装置５０Ｄを用いて行われ、第１の水素除去方法に対して、被処理ガス１７を水素除去部５６に導く前に、熱交換器７３によって被処理ガス１７と熱交換（加熱）する熱交換ステップをさらに具備する点で相違するが、その他の点は第１の水素除去方法の説明と同様であるため、相違する熱交換ステップを中心に説明する。
【０１０４】
熱交換ステップでは、熱交換器７３が出口配管７２を流動する処理済ガス１８から熱を奪って処理済ガス１８を冷却するとともに、入口配管７１を流動する被処理ガス１７に熱を与えて被処理ガス１７を加熱する。
【０１０５】
また、第３の水素除去方法では、水素除去装置５０Ｄに配設される全ての金属過酸化物モジュール５５が反応を行い、出口配管７２の温度が３００℃程度に加熱された時点で、空気供給装置５７を停止して金属過酸化物モジュール５５への空気等の供給を停止する。空気供給装置５７を停止しても、処理済ガス１８の熱（廃熱）を利用して水素除去装置５０Ｄに流入するガス温度を２００℃程度に加熱することができるため、水素除去装置５０Ｄでの反応を順調に進めることができる。
【０１０６】
このように、水素除去装置５０Ｄおよび水素除去装置５０Ｄを用いた水素除去処理方法によれば、水素除去装置５０Ａおよび水素除去装置５０Ａを用いた水素除去処理方法と同様の効果を得ることができるだけでなく、廃熱を利用して水素除去装置５０Ｄに流入するガス温度を反応進行に十分な温度に加熱することができる。
【０１０７】
以上、水素除去装置５０Ａ〜５０Ｄおよび水素除去装置５０Ａ〜５０Ｄを用いて行う水素除去方法によれば、金属過酸化物を用いるため、外部の酸素を必要とすることなく被処理ガス１７から水素を除去することができる。すなわち、酸素濃度が低く再結合反応が生じにくい低酸素状態下においても、被処理ガス１７に含有する水素の除去をよりスムーズに開始できる。
【０１０８】
また、水素除去装置５０Ａ〜５０Ｄおよび水素除去装置５０Ａ〜５０Ｄを用いて行う水素除去方法によれば、被処理ガス１７が常温程度で装置内に吸気される場合にも、流動する過程で被処理ガス１７が加熱されるので反応速度を増加させることができる。
【０１０９】
さらに、水素除去装置５０Ａ〜５０Ｄおよび水素除去装置５０Ａ〜５０Ｄを用いて行う水素除去方法によれば、外気が外壁流路５９を自然に通風することによって、筐体５１の表面が空冷され、過度な温度上昇を抑えることができる。
【０１１０】
さらにまた、水素除去装置５０Ａ〜５０Ｄおよび水素除去装置５０Ａ〜５０Ｄを用いて行う水素除去方法によれば、再結合反応により水素を消費して水素を除去するので、吸蔵量が高々その合金重量の数％程度にすぎない水素吸蔵合金を利用する場合よりも効率良く水素を除去することができる。
【０１１１】
また、水素除去装置５０Ｂおよび水素除去装置５０Ｂを用いた水素除去処理方法によれば、水素除去装置５０Ｂの水素除去部５６に形成される被処理ガス１７の流路が曲りのない構造となっているので、圧力損失を低く抑えることができ、ガスの流動をよりスムーズにすることができる。
【０１１２】
さらに、水素除去装置５０Ｃおよび水素除去装置５０Ｃを用いた水素除去処理方法によれば、水素除去部５６への流入口が１箇所となるので、ノズル５７ａの数を少なくすることができるとともに、より効率的に被処理ガス１７を加熱することができる。
【０１１３】
さらにまた、水素除去装置５０Ｄおよび水素除去装置５０Ｄを用いた水素除去処理方法によれば、廃熱を利用して水素除去装置５０Ｄに流入するガス温度を反応進行に十分な温度に加熱することができる。
【０１１４】
なお、本発明は上記実施形態そのままに限定されるものではなく、実施段階では、上述した実施例以外にも様々な形態で実施することが可能であり、発明の要旨を逸脱しない範囲で、種々の省略、追加、置き換え、変更を行うことができる。これら実施形態やその変形は、発明の範囲や要旨に含まれるとともに、特許請求の範囲に記載された発明とその均等の範囲に含まれる。
【０１１５】
例えば、各実施形態においては、金属過酸化物を有した金属過酸化物モジュールを用いるものとして説明したが、金属過酸化物に代えて、例えば酸化銅（ＣｕＯ）等の金属酸化物を用いることもできる。すなわち、金属過酸化物モジュールに代えて、金属酸化物を有する金属酸化物モジュールを用いることもできる。
【０１１６】
金属酸化物を用いる場合にも、金属酸化物に含まれるＯと水素ガスが結合して水を生成することでき、水素を除去することができる。なお、金属酸化物として他には、例えば過酸化マンガン（ＭｎｎＯｍ）、酸化コバルト（ＣｏｎＯｍ）、等を用いることができる。
【符号の説明】
【０１１７】
１…原子炉格納容器、２…炉心、３…原子炉圧力容器、４…生体遮蔽壁、５…上部ドライウェル、６…下部ドライウェル、７…ウェットウェル、８…ベント管、９…サプレッションプール、１０…従来の可燃性ガス濃度制御装置、１１…主蒸気管、１２…安全弁、１３…真空破壊弁、１４…再結合器、１５…ブロア、１７…被処理ガス、１８…処理済ガス、５０Ａ〜５０Ｄ…水素除去装置、５１…筐体、５２…吸気部、５３…排気部、５４…仕切板、５５（５５Ａ〜５５Ｉ）…金属過酸化物モジュール、５６…水素除去部、５７…空気供給装置、５７ａ…ノズル、５７ｂ…ヘッダ、５８…外筒、５９…外壁流路、６１…ドレン配管、６３，６６…中空容器、６３ａ，６６ａ…多孔面、６３ｂ，６６ｂ…無孔面、６４…金属過酸化物片、６５…中空部、６８…多孔支持板、６９…円環状支持板、７１…入口配管、７２…出口配管、７３…熱交換器。
【図１】
2014109522.tif 000003
【図２】
2014109522.tif 000004
【図３】
2014109522.tif 000005
【図４】
2014109522.tif 000006
【図５】
2014109522.tif 000007
【図６】
2014109522.tif 000008
【図７】
2014109522.tif 000009